(57)【特許請求の範囲】
【請求項１】
カーテンレール（１）と、前記カーテンレールを側方から支持するブラケット（１０）と、カーテン（Ｃ）を吊着して前記カーテンレール上を摺動するランナ（２０）とを備えた装飾カーテンレール装置において、前記ランナは、本体（２１）がＣ字形に形成されると共に下方に突出して先端に膨大部（２５）を有する突起（２４）を上先端部（２３）に備え、前記カーテンレールは、上方に開口して軸方向に延びると共に開口幅が前記膨大部の幅より小さく形成された嵌合溝（５）を上部（２）に備え、前記突起は、前記嵌合溝に摺動可能に嵌合し、前記ブラケットは、前記カーテンレールを支持する支持腕（１２）の先端部（１３）に配設されて上方に突出する係止爪（１４）と、前記支持腕の周りに螺合するねじを内周面に有する筒状のロック（１６）とを備え、前記カーテンレールは、軸方向に延びる係止溝（８）を側部（３）に備え、前記係止溝は、前記係止爪に上から係止する突出端（９）を有し、前記ロックは、前記係止爪と共働して前記突出端を挟持して前記カーテンレールを固定することを特徴とする装飾カーテンレール装置。
【発明の詳細な説明】
【０００１】
【発明の属する技術分野】
本発明は、カーテンレールにランナを外嵌する装飾カーテンレール装置、特に、撓みやすい小径レール等の使用が可能なカーテンレール装置に関する。
【０００２】
【従来の技術】
従来の、カーテンレールにランナを外嵌する装飾カーテンレール装置において、ランナは、カーテンレールを外嵌する本体が環状を成しているため、カーテンレール取付けブラケットを越えて摺動することができない。このため、片開きカーテンの場合には２個のブラケットにより、また両開きカーテンの場合には中央で支持する場合を含めて最大３個のブラケットにより、夫々カーテンレールを支持している。
【０００３】
【発明が解決しようとする課題】
しかしながら、従来の装飾カーテンレール装置においては、このように２個又は３個のブラケットによりカーテンレールを夫々支持しているため、カーテンの重量が大きい場合にはブラケットの数が不足して、剛性の低いレール、例えば、撓み強度が弱い小径レール等によりカーテンを吊着することができないという問題がある。
【０００４】
本発明はこのような問題を解決するためになされたもので、ランナの摺動幅とは無関係にブラケットの数を増やすことができ、カーテンの重量が大きい場合にも剛性の低いレール、例えば、小径レール等の使用が可能な装飾カーテンレール装置を提供することを課題とする。
【０００５】
【課題を解決するための手段】
上述の課題を解決するために、本発明の装飾カーテンレール装置は、カーテンレールと、カーテンレールを側方から支持するブラケットと、カーテンを吊着してカーテンレール上を摺動するランナとを備え、ランナは、本体がＣ字形に形成されると共に下方に突出して膨大部を先端に有する突起を上先端部に備え、カーテンレールは、上方に開口して軸方向に延びると共に開口幅が膨大部の幅より小さく形成された嵌合溝を上部に備え、突起は、嵌合溝に摺動可能に嵌合する。本手段により、ランナがブラケットを越えてカーテンレール上を摺動できるようにした。
【０００６】
ブラケットは、カーテンレールを支持する支持腕の先端部に配設されて上方に突出する係止爪と、支持腕の周りに螺合するねじを内周面に有する筒状のロックとを備え、カーテンレールは、軸方向に延びる係止溝を側部に備え、係止溝は、係止爪に上から係止する突起を有し、ロックは、係止爪と共働して突起を挟持してカーテンレールを固定することもできる。
【０００７】
【発明の実施の形態】
以下に、本発明に係る装飾カーテンレール装置を、図１ないし図３を参照して詳細に説明する。
図１に示すように、本装飾カーテンレール装置は、カーテンレール１と、カーテンレール１を窓枠Ｗに側方から支持するブラケット１０と、カーテンＣをフックＦを介して吊着すると共にカーテンレール１上を摺動するランナ２０とから成る。
【０００８】
図２に示すように、カーテンレール１は、上部２に軸方向に延びる嵌合溝５を有し、この嵌合溝５は、真上からブラケット１０側に僅かに傾いて上方に開口すると共に、カーテンレール１の両端部の間を貫通する。嵌合溝５の開口部６の幅（開口幅）は、後述するランナ２０の突起２４の球状部（膨大部）２５の幅に等しいか、又はそれより僅かに小さく形成される。カーテンレール１は、軸方向に延びる係止溝８をブラケット１０側の側部３に有する。この係止溝８の上部から、側部３に沿って軸方向に延びる突出端９が下方に突出する。
【０００９】
ブラケット１０は、側方に延びる支持腕１２を有し、支持腕１２の先端部１３に、その先端が鉤状に上方に曲がった係止爪１４を有する。先端部１３の外周面にはねじが形成され、円筒状に形成されて内周面にねじを有するロック１６が、この先端部１３に軸方向に摺動可能に螺合する。なお、ロック１６の断面外形は必ずしも円形に限定されるものではなく、例えば、多角形等でもよい。
【００１０】
ランナ２０は、カーテンレール１上を摺動する本体２１と、フックＦを掛けるためのフック掛け部２２とから成る。本体２１はＣ字形に形成され、その上先端部２３に下方に突出する軸状の突起２４を有する。突起２４の先端は球状に膨大して、球状部２５を形成する。
本装飾カーテンレール装置は、次のように使用される。
【００１１】
図１に示すように、ブラケット１０を窓枠Ｗに固定する。図３に示すように、カーテンレール１の係止溝８の突出端９をブラケット１０の支持腕１２の鉤状の係止爪１４に上から係止し、ブラケット１０のロック１６を回して、ロック１６を係止爪１４側に摺動させる。図２に示すように、ロック１６の先端面１７と係止爪１４とにより突出端９を挟持して、カーテンレール１をブラケット１０の支持腕１２に固定する。ランナ２０の突起２４の球状部２５を、カーテンレール１の嵌合溝５の中にカーテンレール１の端面から挿入して、突起２４を嵌合溝５に摺動可能に嵌合する。図１に示すフックＦをランナ２０のフック掛け部２２に掛けて、カーテンＣをカーテンレール１に吊着する。
【００１２】
本装飾カーテンレール装置によれば、カーテンレール１をブラケット１０の支持腕１２で側方から支持し、ランナ２０は本体２１がＣ字形に形成されるから、このランナ２０はブラケット１０を越えてカーテンレール１上を摺動することができる。従って、ブラケット１０をランナ２０の摺動幅とは無関係に多数取り付けることができるので、カーテンＣの重量が大きい場合にもカーテンレール１として剛性の低いレール、例えば、小径レール等を用いることができ、装飾性の面で優れたものとなる。また、嵌合溝５の開口部６の幅がランナ２０の突起２４の球状部２５の幅に等しいか、又はそれより小さく形成されるから、使用中にランナ２０がカーテンレール１から外れることもない。
【００１３】
さらに、係止溝８の突出端９がブラケット１０の支持腕１２の鉤状の係止爪１４に上から係止し、側部３をロック１６と係止爪１４とにより挟持してカーテンレール１をブラケット１０の支持腕１２に固定するので、カーテンレール１のブラケット１０への取付け及び取り外しは極めて容易である。また、図２に示すように、ブラケット１０の係止爪１４はカーテンレール１の係止溝８に埋設され、ロック１６は細長円筒状に形成されるから、ランナ２０がカーテンレール１上を摺動するとき、本体２１がブラケット１０に引っ掛かることもない。
【００１４】
なお、上述した装飾カーテンレール装置では、突起の先端を球状に膨大させたが、これに限定されるものではなく、例えば、楕円球状、横円柱状など種々の形状に膨大させることができる。
【００１５】
【発明の効果】
以上詳細に説明したように、本発明の装飾カーテンレール装置は、カーテンレールと、カーテンレールを側方から支持するブラケットと、カーテンを吊着してカーテンレール上を摺動するランナとを備え、ランナは、本体がＣ字形に形成されると共に下方に突出して先端に膨大部を有する突起を上先端部に備え、カーテンレールは、上方に開口して軸方向に延びると共に開口幅が膨大部の幅より小さく形成された嵌合溝を上部に備え、突起は、嵌合溝に摺動可能に嵌合する。これにより、ランナがブラケットを越えて摺動可能になるから、ランナの摺動幅とは無関係にブラケットの数を増やすことができ、カーテンの重量が大きい場合にも剛性の低いレール、例えば、装飾性の面で優れる小径レール等の使用が可能になるという優れた効果を奏する。また、突起は先端に膨大部を有し、嵌合溝の開口幅は膨大部の幅より小さく形成されるから、ランナをカーテンレール上に摺動させたときにランナがカーテンレールから外れることもない。
【図面の簡単な説明】
【図１】本発明に係る装飾カーテンレール装置を示す側面図である。
【図２】図１の装飾カーテンレール装置の詳細を示す側面断面図である。
【図３】図１のカーテンレールのブラケットへの固定前の状態を示す側面断面図である。
【符号の説明】
１  カーテンレール、２  上部、３  側部、５  嵌合溝、６  開口部、８  係止溝、９  突出端、１０  ブラケット、１２  支持腕、１３  先端部、１４  係止爪、１６  ロック、１７  先端面、２０  ランナ、２１  本体、２２  フック掛け部、２３  上先端部、２４  突起、２５  球状部（膨大部）、Ｃ  カーテン、Ｆ  フック、Ｗ  窓枠
【図１】
0003800461.tif 000002
【図２】
0003800461.tif 000003
【図３】
0003800461.tif 000004